(57)【要約】【課題】子局との通信テストを容易にする、監視システム、監視局及び監視方法を提供する。【解決手段】実施形態の監視システムは、監視局と複数の子局を持つ。監視局は、データ取得部と、子局選択表示制御部と、試験信号選択表示制御部と、試験信号制御部とを持つ。子局は、送信部を持つ。データ取得部は、子局から送信されるデータを子局から取得する。子局選択表示制御部は、試験対象の子局を選択可能に表示装置に表示する。試験信号選択表示制御部は、子局との通信を試験するための試験信号を選択可能に表示装置に表示する。試験信号制御部は、選択された子局に対して選択された試験信号の取得要求を送信し、子局から取得要求に応じた試験信号を取得する。送信部は、取得要求を受信して、取得要求に応じた試験信号を送信する。【選択図】図１
2017091064.tif 000002
【特許請求の範囲】
【請求項１】
監視局と複数の子局を備えた監視システムにおいて、
前記監視局は、
子局から送信されるデータを子局から取得するデータ取得部と、
試験対象の子局を選択可能に表示装置に表示する子局選択表示制御部と、
前記子局との通信を試験するための試験信号を選択可能に表示装置に表示する試験信号選択表示制御部と、
選択された前記子局に対して選択された前記試験信号の取得要求を送信し、前記子局から前記取得要求に応じた前記試験信号を取得する試験信号制御部と、を備え、
前記子局は、
前記取得要求を受信して、前記取得要求に応じた前記試験信号を送信する送信部
を備える監視システム。
【請求項２】
前記試験信号選択表示制御部は、前記子局との通信における通信ノイズを測定して通信を試験するための試験信号、又は所定周波数における前記子局との通信における通信状況を確認して通信を試験するための試験信号を選択可能に表示する、請求項１記載の監視システム。
【請求項３】
前記子局は、センサで測定した測定データに基づいて観測データを生成する観測局であって、
前記データ取得部は、前記観測局が生成した前記観測データを取得する、請求項１記載の監視システム。
【請求項４】
前記子局は、警報を出力する警報装置の動作状態を示す動作状態データを生成する警報局であって、
前記データ取得部は、前記警報局が生成した前記動作状態データを取得する、請求項１記載の監視システム。
【請求項５】
前記子局との通信を中継する中継局を、前記取得要求を送信する前に起動制御するとともに、前記試験信号を取得した後に停止制御する中継局制御部をさらに備える、請求項１記載の監視システム。
【請求項６】
子局に対して子局が生成したデータの取得を要求し、要求したデータを子局から取得するデータ取得部と、
試験対象の子局を選択可能に表示装置に表示する子局選択表示制御部と、
前記子局との通信を試験するための試験信号を選択可能に表示装置に表示する試験信号選択表示制御部と、
選択された前記子局に対して選択された前記試験信号の取得要求を送信し、前記子局から前記取得要求に応じた前記試験信号を取得する試験信号制御部と
を備える、監視局。
【請求項７】
前記試験信号選択表示制御部は、前記子局との通信における通信ノイズを測定して通信を試験するための試験信号、又は所定周波数における前記子局との通信における通信状況を確認して通信を試験するための試験信号を選択可能に表示する、請求項６記載の監視局。
【請求項８】
前記子局は、センサで測定した測定データに基づいて観測データを生成する観測局であって、
前記データ取得部は、前記観測局が生成した前記観測データを取得する、請求項６記載の監視局。
【請求項９】
前記子局は、警報を出力する警報装置の動作状態を示す動作状態データを生成する警報局であって、
前記データ取得部は、前記警報局が生成した前記動作状態データを取得する、請求項６記載の監視局。
【請求項１０】
前記子局との通信を中継する中継局を、前記取得要求を送信する前に起動制御するとともに、前記試験信号を取得した後に停止制御する中継局制御部をさらに備える、請求項６記載の監視局。
【請求項１１】
監視局から子局に対して子局が生成したデータの取得を要求し、要求したデータを子局から取得するデータ取得ステップと、
試験対象の子局を選択可能に表示装置に表示する子局選択表示制御ステップと、
前記子局との通信を試験するための試験信号を選択可能に表示装置に表示する試験信号選択表示制御ステップと、
選択された前記子局に対して選択された前記試験信号の取得要求を送信し、前記子局から前記取得要求に応じた前記試験信号を取得する試験信号制御ステップと、
前記取得要求を受信して、前記取得要求に応じた前記試験信号を子局から送信するステップと
を含む監視方法。
【請求項１２】
前記試験信号選択表示制御ステップにおいて、前記子局との通信における通信ノイズを測定して通信を試験するための試験信号、又は所定周波数における前記子局との通信における通信状況を確認して通信を試験するための試験信号を選択可能に表示する、請求項１１記載の監視方法。
【請求項１３】
前記子局は、センサで測定した測定データに基づいて観測データを生成する観測局であって、
前記データ取得ステップにおいて、前記観測局が生成した前記観測データを取得する、請求項１１記載の監視方法。
【請求項１４】
前記子局は、警報を出力する警報装置の動作状態を示す動作状態データを生成する警報局であって、
前記データ取得ステップにおいて、前記警報局が生成した前記動作状態データを取得する、請求項１１記載の監視方法。
【請求項１５】
前記子局との通信を中継する中継局を、前記取得要求を送信する前に起動制御するとともに、前記試験信号を取得した後に停止制御する中継局制御ステップをさらに含む、請求項１１記載の監視方法。
【発明の詳細な説明】
【技術分野】
【０００１】
本発明の実施形態は、監視システム、監視局及び監視方法に関する。
【背景技術】
【０００２】
従来、河川流域の水位、雨量等の気象データを測定する観測局と、観測局から観測データを収集する監視局からなるテレメータシステムがある。また、ダムや堰のゲート（水門）を開いて放流をする際に、河川流域の住民に対して警報を行うサイレン、放送設備、回転灯、表示設備等を有する警報局と、警報局を監視する監視局からなる警報システムがある。
しかし、従来のテレメータシステム又は警報システムにおいては、観測局又は警報局（観測局又は警報局を「子局」という。）の動作テストを実施するには子局の設備、若しくは監視局の設備に動作テスト用のハードウェアを作業者が接続して所定の手順のテストを行うため、動作テストを行う作業者は専用ハードを設備に接続してテストを実施するスキルを必要とする場合があった。また、子局は、山岳地域等に設置される場合があり、テスト用のハードウェアを接続するために子局に作業者が入局するのが困難な場合があった。
【先行技術文献】
【特許文献】
【０００３】
【特許文献１】特開２０１２−１３５１３８号公報
【特許文献２】特開２０１３−０１２８９０号公報
【特許文献３】特開２０１０−１８７２８３号公報
【発明の概要】
【発明が解決しようとする課題】
【０００４】
本発明が解決しようとする課題は、子局との通信テストを容易にする、監視システム、監視局及び監視方法を提供することである。
【課題を解決するための手段】
【０００５】
実施形態の監視システムは、監視局と複数の子局を持つ。監視局は、データ取得部と、子局選択表示制御部と、試験信号選択表示制御部と、試験信号制御部とを持つ。子局は、送信部を持つ。データ取得部は、子局から送信されるデータを子局から取得する。子局選択表示制御部は、試験対象の子局を選択可能に表示装置に表示する。試験信号選択表示制御部は、子局との通信を試験するための試験信号を選択可能に表示装置に表示する。試験信号制御部は、選択された子局に対して選択された試験信号の取得要求を送信し、子局から取得要求に応じた試験信号を取得する。送信部は、取得要求を受信して、取得要求に応じた試験信号を送信する。
【図面の簡単な説明】
【０００６】
【図１】実施形態の第１の監視システムのシステム構成を示す図。
【図２】実施形態の監視システムの第２のシステム構成を示す図。
【図３】実施形態の監視局のシステム構成を示す図。
【図４】実施形態の観測局のシステム構成を示す図。
【図５】実施形態の警報局のシステム構成を示す図。
【図６】実施形態の中継局のシステム構成を示す図。
【図７】実施形態の監視システムのテスト動作を示す図。
【図８】実施形態の第１の監視システムの第１の動作を示すシーケンス図。
【図９】実施形態の第１の監視システムの第２の動作を示すシーケンス図。
【図１０】実施形態の第２の監視システムの第１の動作を示すシーケンス図。
【図１１】実施形態の第２の監視システムの第２の動作を示すシーケンス図。
【図１２】実施形態の監視システムの試験方法を示す図。
【図１３】実施形態の監視システムの試験方法を示す図。
【図１４】実施形態の監視システムの試験方法を示す図。
【発明を実施するための形態】
【０００７】
以下、実施形態の監視システム、監視局及び監視方法を、図面を参照して説明する。なお、以下の図面の説明において同じ構成には同じ符号を付して説明を書略する場合がある。
【０００８】
先ず、図１を用いて、観測局を監視する第１の監視システムのシステム構成を説明する。図１は、実施形態の第１の監視システムのシステム構成の一例を示す図である。図１において、第１の監視システムは、複数の観測局と、複数の観測局を監視する監視局１ａとを持つ。
【０００９】
監視局１ａは、複数の観測局において生成された観測データを取得する。監視局１ａは、所定の地域に配置された複数の観測局を管轄する上位局（管轄局）であり、所定の地域に１又は複数が配置される。図１においては、監視局１ａの１台が配置される場合を例示している。
【００１０】
観測局は、ＣＨ１〜ＣＨ３の３チャネルに分類されて監視局１ａに接続されている。チャネルとは、観測局をグループ化するための分類であり、例えば、河川の水系毎に観測局をグループ化する。ＣＨ１の１局目（１−１）である観測局２１１、ＣＨ１の２局目（１−２）である観測局２１２等は、ＣＨ１に分類されている。同様に、ＣＨ２の１局目（２−１）である観測局２２１、ＣＨ２の２局目（２−２）である観測局２２２等は、ＣＨ２に、ＣＨ３の１局目（３−１）である観測局２３１、ＣＨ３の２局目（３−２）である観測局２３２等は、ＣＨ３に分類されている。
【００１１】
ＣＨ１の観測局２１１、観測局２１２等は、監視局１ａに直接、通信可能に接続されている。一方、ＣＨ２の観測局２２１、観測局２２２等は、ＣＨ２の中継局４０２を介して監視局１ａに通信可能に接続されている。また、ＣＨ３の観測局２３１、観測局２３２等は、ＣＨ３の中継局４０３を介して監視局１ａに通信可能に接続されている。
【００１２】
中継局は、観測局と監視局との通信を中継する設備であり、山岳地域等に設置されて監視局との直接の通信が困難な観測局と監視局との通信を可能にする。中継局は、観測局と通信可能な場所に設置されるため、観測局の設置場所によって中継局４０２、中継局４０３等の複数の中継局が設置される。
【００１３】
本実施形態では、中継局４０２と通信する観測局２２１、観測局２２２等をＣＨ２に分類し、中継局４０２はＣＨ２の観測局が専用する。また、中継局４０３と通信する観測局２３１、及び観測局２３２等をＣＨ３に分類し中継局４０３はＣＨ３の観測局が専用する。ＣＨ毎に中継局を専用することにより、ＣＨ単位で観測局から観測データを取得したり、ＣＨ単位で後述する通信テストを実施したりする観測局とのＣＨ単位の通信をする場合に、中継局の起動又は停止制御を、ＣＨ単位の通信に合わせて行うことが可能となる。例えば、ＣＨ単位で観測データを取得する場合、ＣＨ単位で観測データを取得する前に中継局を起動して、ＣＨ単位で観測データを取得した後に中継局を停止することにより、中継局の起動と停止はＣＨ単位の通信の前後でそれぞれ１回とすることができる。但し、中継局は異なるＣＨの測定局で共有するようにしてもよい。中継局を共有することにより、中継局の設置台数を削減することが可能となる。
【００１４】
また、本実施形態においては、観測局２２１等の観測局は、中継局４０２等の１段の中継局を介して監視局１ａと通信する場合を示すが、中継局は多段に構成されるものであってもよい。例えば、観測局が中継局Ａと中継局Ｂの２段の中継局を介して監視局１ａと通信する場合、観測局は、中継局Ａ、中継局Ｂ、監視局１ａの順に通信をする。中継局を多段に構成する場合、監視局に近い中継局を複数のＣＨで共有し、観測局に近い中継局をＣＨ毎に専用するようにしてもよい。
【００１５】
次に、図２を用いて、警報局を監視する第２の監視システムのシステム構成を説明する。図２は、実施形態の第２の監視システムのシステム構成の一例を示す図である。図２において、第２の監視システムは、複数の警報局と、複数の警報局を監視する監視局１ｂと監視局１ｃを持つ。
【００１６】
監視局１ｂ及び監視局１ｂは、複数の警報局に対して警報装置から警報を出力させる警報出力の指示を送信し、警報局が生成する警報装置の動作状態を示す動作状態データを取得する。監視局１ｂ及び監視局１ｂは、所定の地域に配置された複数の警報局を管轄する上位局（管轄局）であり、所定の地域に１又は複数が配置される。。図２においては、監視局１ｂ又は監視局１ｃａの２台が配置される場合を例示している。監視局１ｂは、第１ダムを管理する第１ダム管理事務所９１に設置される。また、監視局１ｃは、第２ダムを管理する第２ダム管理事務所９２に設置される。第１ダム管理事務所９１は、監視局１ｂと、ダム制御装置９１０とを持つ。また、第２ダム管理事務所９２は、監視局１ｃと、ダム制御装置９２０とを持つ。ダム制御装置９１０は、第１ダムのゲート開閉装置９１１を制御して、第１ダムのゲートの開閉制御を行う。また、ダム制御装置９２０は、第２ダムのゲート開閉装置９２１を制御して、第２ダムのゲートの開閉制御を行う。
【００１７】
ダム制御装置９１０を操作して第１ダムのゲート開閉装置９１１を動作させてゲートが開くと、第１ダムの貯水が放流されて、第１ダムの下流の水位が増加する。従って、ダム制御装置９１０を操作する操作者は、第１ダムのゲートを開く前に、監視局１ｂを操作して、第１ダムの下流にある警報局３１１〜警報局３１３に対して、警報装置から警報を出力する出力指示を送信する。同様に、ダム制御装置９２０を操作して第２ダムのゲート開閉装置９２１を動作させてゲートが開くと、第２ダムの貯水が放流されて、第２ダムの下流の水位が増加する。従って、ダム制御装置９２０を操作する操作者は、第２ダムのゲートを開く前に、監視局１ｃを操作して、第２ダムの下流にある警報局３２１〜警報局３２２等に対して、警報装置から警報を出力する出力指示を送信する。
【００１８】
なお、本実施形態では、監視局１ｂ及び監視局１ｃから警報出力の出力指示は、操作者による手動で実施する場合を説明したが、監視局１ｂ及び監視局１ｃから送信される警報出力の出力指示は自動的に送信されるものであってもよい。例えば、ダム制御装置９１０がゲート開閉装置９１１を制御するときに、監視局１ｂが警報出力の出力指示を自動的に送信するように制御してもよい。
【００１９】
また、第２ダムのゲートが開くと、第２ダムの貯水が放流されて、第２ダム下流の水位が増加する。従って、ダム制御装置９２０を操作する操作者は、第２ダムのゲートを開く前に、監視局１ｃを操作して、第２ダムの下流にある警報局３２１〜警報局３２２等に対して、警報装置から警報を出力するようにする。
【００２０】
第１ダムは第２ダムの上流に位置し、第１ダムを放流すると第２ダムの貯水が増加する。第１ダム管理事務所９１と第２ダム管理事務所９２は通信可能に接続されて、例えば、それぞれのダムのゲート開閉制御等の情報、警報局に対する警報出力の指示の情報等を共有するようにしてもよい。
【００２１】
警報局は、河川の上流から順番に配置され、流域の人に対して河川の水位の情報を警告する。第１ダムの下流には、上流から、１局目（１−１）の警報局３１１、２局目（１−２）の警報局３１２、３局目（１−３）の警報局３１３が配置されている。警報局３１１〜警報局３１３は、第１ダムの放流によって水位が上昇する場所に配置され、監視局１ｂから出力される警報出力の指示に基づき警報を出力する。また、第２ダムの下流には、上流から、１局目（２−１）の警報局３２１、２局目（２−２）の警報局３２２、３局目（２−３）の警報局３２３等が配置されている。警報局３２１〜警報局３２２は、第２ダムの放流によって水位が上昇する場所に配置され、監視局１ｃから出力される警報出力の指示に基づき警報を出力する。なお、警報局の配置数は任意である。
【００２２】
警報局３１１は、監視局１ｂに直接、通信可能に接続されている。一方、警報局３１２及び警報局３１１は、中継局４０５を介して監視局１ｂに通信可能に接続されている。また、警報局３２１は、監視局１ｃに直接、通信可能に接続されている。一方、警報局３２２は、中継局４０６を介して監視局１ｃに通信可能に接続されている。
【００２３】
中継局は、警報局と監視局との通信を中継する設備であり、山岳地域等に設置されて監視局との直接の通信が困難な警報局と監視局との通信を可能にする。中継局は、警報局と通信可能な場所に設置される。
【００２４】
本実施形態では、中継局４０５は、第１ダム管理事務所９１に設置された監視局１ｂと通信する警報局３１２及び警報局３１３１が専用する。監視局１ｂと通信する警報局３１２及び警報局３１３１が中継局４０５を専用することにより、監視局１ｂから警報局との通信テストを実施する場合に、中継局の起動又は停止制御を、監視局１ｂからの通信テストに合わせて行うことが可能となる。なお、中継局の配置は任意であり、例えば、中継局４０５と中継局４０６を共用するようにしてもよい。また、図１の観測局と監視局との中継と同様に、警報局との中継においても中継局を多段にするようにしてもよい。
【００２５】
また、監視局１ｂは、警報局３１２〜警報局３１３に警報出力の指示を送信する場合、下流の監視局１ｃに対しても警報出力の指示を送信し、監視局１ｂから警報出力の指示を受信した監視局１ｃは、監視局１ｃと通信する警報局３２１、警報局３２２等に警報出力の指示を送信するようにしてもよい。
【００２６】
次に、図３を用いて、監視局のシステム構成を説明する。図３は、実施形態の監視局のシステム構成の一例を示す図である。
【００２７】
図３において、監視局１は、監視装置１１、管理端末１２、操作卓１３、操作盤１４を持つ。監視装置１１は、監視局１において子局と通信して子局を制御する。監視装置１１は、例えばサーバ装置である。管理端末１２は、例えばＰＣ（Personal Computer）である。操作卓１３は、監視装置１１の操作を行い、監視装置１１の監視を行うための卓状の操作入力装置である。操作卓１３はスイッチ類、ランプ類等の入出力部品が配され、監視装置１１に対する手動操作等を行う。操作盤１４も操作卓１３と同様に、監視装置１１の操作を行い、監視装置１１の監視を行うための装置であり、例えば、スイッチ類、ランプ類を制御盤のパネルに配している。
【００２８】
監視装置１１は、制御部１１０、回線切換部１１１、通信制御部１１２、データ取得部１１３、中継局制御部１１４、時刻制御部１１５、試験信号制御部１１６、操作制御部１１７、操作制御部１１８、外部Ｉ／Ｆ（Interface）１１９の各機能を持つ。
【００２９】
なお、監視装置１１の各機能は、それぞれハードウェアで実現しても、ソフトウェアで実現しても、又はハードウェアの一部にソフトウェアを用いたミドルウェアで実現してもよい。また、監視装置１１の各機能は、機能によって機能ブロックで表したものであるため、それぞれの機能は、複数の機能ブロックに分割して表されてもよい。また、複数の機能の一部又は全部をまとめて１つの機能ブロックで表されてもよい。すなわち、本実施形態で説明する監視装置１１の各機能の区分は便宜上の区分であって、監視装置１１がその機能を有する限り本実施形態に含まれるものとする。監視装置１１の各機能は、例えば、制御部１０が実行するプログラムによって実現することもできる。
【００３０】
同様に、本実施形態において説明する各装置の各機能は、それぞれハードウェアで実現しても、ソフトウェアで実現しても、又はハードウェアの一部にソフトウェアを用いたミドルウェアで実現してもよい。また、各装置の各機能は、機能によって機能ブロックで表したものであるため、それぞれの機能は、複数の機能ブロックに分割して表されてもよい。また、複数の機能の一部又は全部をまとめて１つの機能ブロックで表されてもよい。すなわち、本実施形態で説明する監視装置１１の各機能の区分は便宜上の区分であって、各装置がその機能を有する限り本実施形態に含まれるものとする。各装置の各機能は、例えば、それぞれの装置における制御部が実行するプログラムによって実現することもできる。本実施形態において説明する各装置の各機能とは、例えば、図７における監視装置１１、図３及び図７における管理端末１２、図４における観測局２、図５における警報局３、図７における子局５、並びに図６及び図７における中継局４の各機能である。
【００３１】
制御部１１０は、監視装置１１を制御する。制御部１１０は、回線切換部１１１、通信制御部１１２又はデータ取得部１１３等の上記監視装置の各機能を実現する。制御部１１０は、例えばＣＰＵ（Central Processing Unit）等の演算処理装置である。
【００３２】
回線切換部１１１は、通信回線を切り換える。監視装置１１は、無線装置１５、多重無線装置１６及び有線装置１７の通信装置が接続されている。回線切換部１１１は、接続された通信装置との接続を切り換える。無線装置１５は、子機と無線通信を行う。多重無線装置１６は、子機と多重回線による無線通信を行う。有線装置１７は、子機と有線回線によって通信を行う。すなわち、回線切換部１１１は、接続された通信装置を切り換えることにより、子機との通信回線を切り換えることができる。図１又は図２で説明した観測局との通信、又は警報局との通信は、上記無線装置１５、多重無線装置１６又は有線装置１７の通信装置のいずれかを用いた通信によって行うことができる。回線切換部１１１の回線の切り換えは、通信制御部１１２によって行われる。
【００３３】
通信制御部１１２は、子局との通信を制御する。通信制御部１１２は、回線切換部１１１を用いて無線装置１５、多重無線装置１６又は有線装置１７との接続を切り換え、無線装置１５、多重無線装置１６又は有線装置１７のいずれかの通信回線を使用して子局と通信する。通信制御部１１２はそれぞれの通信回線に応じた通信データ符号化及び複合化を行う。
【００３４】
データ取得部１１３は、子局からデータを収集する。子局として例示する観測局は、センサが測定した測定データに基づき観測データを生成する。センサは、例えば、測定データとして河川の水位を測定する水位計、測定場所の雨量を測定する雨量計、測定場所の積雪量を測定する積雪量計等である。観測局は、センサから出力される測定データに対して所定の１次演算処理を行い観測データを生成する。すなわち、データ取得部１１３は、観測局から観測データを収集する。なお、１次演算処理の詳細は図４を用いて後述する。
【００３５】
観測局は、例えば、国土交通省で定めたテレメータ装置標準機器仕様書（国電通仕第２１号）に基づくテレメータ装置を用いることができる。国電通仕第２１号に基づくテレメータ装置とは、所定の呼出信号を受信したときに観測データを送信するテレメータ装置である。国電通仕第２１号に基づくテレメータ装置は、呼出信号を受信することにより、観測データを送信する。
【００３６】
観測局が国電通仕第２１号に基づくテレメータ装置である場合、データ取得部１１３は、観測局に対して呼出信号を送信することにより、観測局から観測データを収集する。データ取得部１１３は、国電通仕第２１号に基づくテレメータ装置から観測データを収集する場合、呼出信号を定時間隔で自動的に送信する自動呼出と、呼出信号を操作者の操作によって送信する手動呼出のいずれかの方法を用いることができる。
【００３７】
データ取得部１１３は、自動呼出において観測局に送信する呼出信号の定時間隔を、例えば、１０分、１５分、３０分、又は１時間等とすることができる。データ取得部１１３は、自動呼出を行う場合、観測データを定時間隔で繰り返し収集することができる。
【００３８】
データ取得部１１３は、呼出信号を送信する定時間隔を任意に変更できるようにしてもよい。定時間隔を任意に変更する方法としては、例えば、データ取得部１１３は、収集した観測データに異常がある場合、データを収集する時間間隔を短くしてもよい。観測データに異常がある場合とは、例えば、観測データの数値が所定の値を超えた場合、観測データの数値の変動量に異常があった場合、観測データが欠測となった場合等である。観測データが所定の値を超えた場合、データ取得部１１３は、時間間隔を短くして呼出信号を送信するようにしてもよい。また、測定データが欠測となった場合、データ取得部１１３は、直ちに呼出信号を送信するようにしてもよい。
【００３９】
また、観測局が国電通仕第２１号に基づくテレメータ装置である場合、データ取得部１１３は、呼出において、任意のタイミングで操作者が操作卓１３等を手動操作したときに子局からデータを収集するようにしてもよい。
【００４０】
なお、観測局が国電通仕第５４号に基づくテレメータ装置である場合、データ取得部１１３は、観測局が定時間隔で送信する観測データを収集する。国電通仕第５４号に基づくテレメータ装置とは、時刻に基く定時間隔で自発的に観測データを送信するテレメータ装置である。定時間隔は、１分、５分、１０分、３０分、又は１時間であり、テレメータ装置が観測データを送信する定時間隔をいずれかの時間間隔に設定することができる。観測局が国電通仕第５４号に基づくテレメータ装置である場合、データ取得部１１３は、観測局において設定された時間間隔でのみ観測データを取得することができ、データ取得部１１３から観測データの取得を要求することができない。また、国電通仕第５４号に基づくテレメータ装置は、監視局から送信される信号を受信する受信機能を持たないため、本実施形態において後述する監視局から送信される試験信号の取得要求を受信することはできない。しかし、観測局において試験信号の取得要求を受信して、取得要求に応じた試験信号を送信する機能を追加することにより、観測局が国電通仕第５４号に基づくテレメータ装置である場合であっても、本実施形態を適用することは可能である。
【００４１】
また、子局として例示する警報局は、警報を出力する警報装置の動作状態を示す動作状態データを生成する。警報装置は、例えば、サイレン設備、放送設備、回転灯、表示設備等、ダムの放流を警告する設備である。警報局は、警報装置が動作しているか否かの動作状態を検出し、動作状態を示す動作状態データを生成する。動作状態とは、例えば、起動中、停止中、保守中、起動状態不明等である。動作状態データにおいて、データの所定ビットにＯＮ又はＯＦＦのフラグを立てることにより動作状態を示すようにしてもよい。
【００４２】
警報局は、例えば、国土交通省で定めた放流警報装置標準仕様書（国電通仕第２７号）に基づく放流警報装置を用いることができる。国電通仕第２７号に基づく放流警報装置とは、監視局から所定の呼出信号を受信したときに、警報装置を用いてサイレン吹鳴、擬似音吹鳴及び音声放送等の動作を行う放流警報装置である。呼出信号を受信した放流警報装置は、呼出信号を送信した監視局に対して、警報装置等の動作状態を示す信号を返送する。観測局が国電通仕第２７号に基づく放流警報装置である場合、データ取得部１１３は、観測局に対して呼出信号を送信することにより、警報局から動作状態を示すデータを収集することができる。
【００４３】
中継局制御部１１４は、中継局を制御する。中継局は、図１又は図２で説明した通り、監視局１と子局（観測局又は警報局）との通信を中継する。従って、監視局１が子局と通信を行う場合、中継局が正常に動作している必要がある。中継局制御部１１４は、例えば、中継局を制御して、中継局が正常に動作しているか否かの動作状態を示すデータを取得する。また、中継局は、監視局と直接通信が困難な山岳地域に設置された子局との通信を中継するものである。このため、中継局自体も急峻な山岳の山頂等、商用電源の送電が困難な場所に設置されてバッテリで動作する場合がある。中継局がバッテリで動作をする場合等においては、中継局における消費電力の低減を図る必要がある。中継局制御部１１４は、監視局と子局が通信するときにのみ中継局を起動し、通信が終了したときに中継局を停止する制御を行うことにより、中継局の省電力化を図ることが可能となる。
【００４４】
時刻制御部１１５は、内部時計の時刻を制御する。タイマはデータ取得部１１３が定時間隔でデータを収集するときに時刻を判断するときに利用される。時刻制御部１１５は、例えば、ＧＰＳ装置やＮＴＰ（Network Time Protocol）装置によって内部時計の時刻が所定の誤差の範囲内になるように制御する。
【００４５】
試験信号制御部１１６は、子局との通信を試験するための試験信号を制御する。試験信号制御部１１６は、子局に対して試験信号の取得要求を送信する。子局は取得要求に応じて試験信号を監視局１に送信する。試験信号制御部１１６は、子局が送信した試験信号を取得する。子局との通信を試験するための試験信号は複数種類の試験信号を用いることができる。試験信号制御部１１６は、通信を試験するための試験信号を選択可能に管理端末１２に表示する。試験信号制御部１１６は、管理端末１２において選択された試験信号を取得する取得要求を子局に送信する。子局は取得要求に応じて試験信号を選択し、選択した試験信号を監視局１に送信する。試験信号制御部１１６は、選択された試験信号を取得することにより、選択された試験信号による子局との通信を試験することができる。
【００４６】
試験信号制御部１１６は、試験信号として、子局との通信における通信ノイズを測定して通信を試験するための試験信号を選択可能に表示する。通信ノイズを測定して通信を試験するための試験信号としては、例えば、Ｓ／Ｎ制御信号、Ｎ制御信号等を用いることができる。Ｓ／Ｎ制御信号は、所定の信号情報を含む信号であり、受信されたＳ／Ｎ制御信号の信号情報とノイズの信号レベルの比によって子局との通信状態を試験するものである。また、Ｎ制御信号は、Ｓ／Ｎ制御信号における信号情報を含まない信号であり、受信されたＮ制御信号のノイズの信号レベルによって子局との通信状態を試験するものである。
【００４７】
また、試験信号制御部１１６は、試験信号として、所定周波数における子局との通信における通信状況を確認して通信を試験するための試験信号を選択可能に表示する。所定周波数における子局との通信における通信状況を確認して通信を試験するための試験信号としては、例えば、１ＫＨｚ信号、マーク信号、スペース信号等を用いることができる。
【００４８】
１ＫＨｚ信号とは、周波数が１ＫＨｚの試験信号であり、１ＫＨｚの試験信号において子局と通信可能であるか否かを試験するものである。
【００４９】
マーク信号とは、例えば、中心周波数に対して−４００Ｈｚ（通信が１２００ｂｐｓ（ビット毎秒）である場合）、又は中心周波数に対して−１００Ｈｚ（通信が２００ｂｐｓである場合）等の試験信号であり、マーク信号において子局と通信可能であるか否かを試験するものである。ここで中心周波数とは、通信で用いる信号の中心の周波数であり、例えば、通信が１２００ｂｐｓである場合は１７００Ｈｚ、通信が２００ｂｐｓである場合は、８００Ｈｚ、１２００Ｈｚ、１６００Ｈｚ、２０００Ｈｚ又は２４００Ｈｚ等の周波数を用いることができる。中心周波数に対して−の周波数をマーク信号として使用する。
【００５０】
また、スペース信号とは、例えば、中心周波数に対して＋４００Ｈｚ（通信が１２００ｂｐｓである場合）、又は中心周波数に対して＋１００Ｈｚ（通信が２００ｂｐｓである場合）等の試験信号であり、スペース信号において子局と通信可能であるか否かを試験するものである。中心周波数に対して＋の周波数をスペース信号として使用する。
【００５１】
操作制御部１１７は操作卓１３を制御して、操作卓１３からのスイッチ等の操作による操作入力を取得し、ランプ等の表示出力を出力する。操作制御部１１８は操作盤１４を制御して、操作盤１４からのスイッチ等の操作による操作入力を取得し、ランプ等の表示出力を出力する。
【００５２】
外部Ｉ／Ｆ１１９は、管理端末１２と監視装置１１とを接続するためのＩ／Ｆである。外部Ｉ／Ｆ１１９は管理端末１２と所定の通信プロトコルで通信する。本実施形態では、監視装置１１と管理端末１２は１対１で接続される場合を例示するが、外部Ｉ／Ｆ１１９は、監視装置１１と管理端末１２を１対他、又は他対１で接続するものであってもよい。また、外部Ｉ／Ｆ１１９は、ネットワークを介して管理端末１２と接続するものであってもよい。
【００５３】
管理端末１２は、制御部１２０、子局選択制御部１２１、試験信号選択制御部１２２、表示部１２３及び操作・入力部１２４の各機能を持つ。制御部１２０は、管理端末１２の各機能を制御する。
【００５４】
子局選択制御部１２１は、通信試験をする試験対象の子局を選択可能に表示部１２３に表示する。試験対象の子局は、監視局１と通信する観測局又は警報局である。子局選択制御部１２１は、子局の選択画面を表示部１２３に表示し、操作者に対が子局を選択できるようにする。操作者は表示部１２３に表示された子局の中から通信の試験対象の子局を選択する。子局の選択は１の子局を選択するものであっても複数の子局を選択するものであってもよい。子局選択制御部１２１は、選択された子局を試験信号制御部１１６に対して通知する。試験信号制御部１１６は、子局選択制御部１２１で選択された子局に対して試験信号の取得要求を送信する。
【００５５】
試験信号選択制御部１２２は、通信試験で使用する試験信号を選択可能に表示部１２３に表示する。試験信号の種類は後述する。試験信号選択制御部１２２は、試験信号の選択画面を表示部１２３に表示し、操作者が試験信号を選択できるようにする。操作者は表示部１２３に表示された試験信号の中から試験に使用する試験信号を選択する。試験信号の選択は１の試験信号を選択するものであっても複数の試験信号を選択するものであってもよい。試験信号選択制御部１２２は、選択された試験信号を試験信号制御部１１６に対して通知する。試験信号制御部１１６は、試験信号選択制御部１２２で選択された試験信号の取得要求を、子局選択制御部１２１で選択された子局に対して送信する。
【００５６】
表示部１２３は、管理端末１２の表示装置であり、例えば液晶表示装置である。また、操作・入力部１２４は、管理端末１２の操作入力装置であり、例えばキーボードやマウスである。
【００５７】
次に、図４を用いて、子局として例示する観測局のシステム構成を説明する。図４は、実施形態の観測局のシステム構成の一例を示す図である。図４において、観測局２は、制御部２０、センサ通信部２１、呼出制御部２２、試験部２３、通信制御部２４、回線切換部２５及び電源部２６の各機能を持つ。制御部２０は、観測局２の各機能を制御する。
【００５８】
センサ通信部２１は、水位計２１０１、雨量計２１０２、積雪量計２１０３等の各センサと通信し、各センサが測定した測定データを収集する。センサ通信部２１に接続されるセンサはの種類又は数は任意である。センサは、例えば、道路気象に関して、気温、路面温度、風速、風向等を測定するものであってもよい。また、センサは、水質に関して、水温、ｐＨ、電気伝導度、濁度、溶存酸素等を測定するものであってもよい。
【００５９】
センサ通信部２１が各センサから取得した測定データは、制御部２０において１次演算処理される。１次演算処理とは、例えば測定データの補正や単位変換である。各センサから取得した測定データは、センサの型式、設置場所等により測定誤差を含む場合がある。制御部２０は、取得された測定データに基づき、測定データを補正する１次処理を行うことにより、誤差を補正した観測データを生成する。また、各センサから出力される測定データは、センサが出力する電圧値や電流値である場合があり、制御部２０は、電圧値等の測定データに基づき、水位（ｍ）、雨量（ｍｍ）、積雪量（ｍｍ）、気温（度）、ペーハー（ｐＨ）等、データの意味を理解可能な単位に単位変換した観測データを生成する。
【００６０】
呼出制御部２２は、監視局１のデータ取得部１１３から送信される呼出信号を受信して、センサ通信部２１が取得した測定データに基づく観測データを監視局１に送信する。呼出信号には観測局２が送信可能な観測データの中で取得対象を指定する指定情報を含んでいてもよい。指定情報は、例えば、水位、雨量等、個別の観測データを指定する。呼出制御部２２は、指定された観測データを監視局に送信する。なお、観測データには、上述した水位等の気象データ以外に、例えば電源の異常、観測所のドアの開閉等の特殊情報を含んでいてもよい。
【００６１】
試験部２３は、試験信号の取得要求に対応した試験信号を送信する。図３において説明したように、監視局１の管理端末１２において、監視装置Ｓ／Ｎ制御信号、Ｎ制御信号、１ＫＨｚ信号、マーク信号又はスペース信号の少なくともいずれか１の試験信号が選択され、監視局１から観測局２に対して、選択された試験信号を取得する取得要求が送信される。試験部２３は、選択された試験信号の取得要求を受信して、選択された試験信号を監視局に対して送信する。試験信号のデータは、予め試験部２３が所定の記憶部に記憶しておくことができる。試験部２３は、取得要求に応じて、予め記憶部に記憶された試験信号のデータを用いて、試験信号を監視局に送信するようにしてもよい。また、試験部２３は、取得要求に応じた試験信号を生成して監視局に送信するようにしてもよい。
【００６２】
通信制御部２４は、監視局との通信を制御する。通信制御部２４は、回線切換部２５で使用する通信回線を切り換えて、無線装置２７、多重無線装置２８又は有線装置２９のいずれかの通信回線を用いて監視局と通信する。通信制御部２４はそれぞれの通信回線に応じた通信データ符号化及び複合化を行う。なお、使用する通信回線は、監視局が使用する通信回線と予め定めておく。
【００６３】
回線切換部２５は、通信制御部２４が使用する通信回線を切り換える。回線切換部２５は、無線装置２７、多重無線装置２８及び有線装置２９の通信装置との接続を切り換えることができる。無線装置２７、多重無線装置２８及び有線装置２９は、図３で説明した監視局１に接続される無線装置１５、多重無線装置１６及び有線装置１７とそれぞれの通信回線において通信する。
【００６４】
電源部２６は、観測局２で使用する電力を供給する。電源部２６は、商用電源からの電力又はバッテリからの電力を供給する。制御部２０は、電源部２６が供給する電力の低下等の電源の異常を監視して、電源に異常が発生した場合、通信制御部２４を介して電源の異常を監視局に通信するようにしてもよい。
【００６５】
制御部２０は、電源部２６からの電力供給状態に応じて観測局２の起動状態を変更するようにしてもよい。例えば、通常は監視局からの通信を受信できるだけの電力供給状態（省電力状態）にしておき、呼出信号又は試験信号取得要求を受信したときに、上述した測定データの収集、観測データの生成、観測データの送信、試験信号の送信等の動作を行うことができる電力供給状態（起動状態）としてもよい。観測データの送信、試験信号の送信等の動作が終了したときには、制御部２０は、再び省電力状態に戻すようにしてもよい。
【００６６】
次に、図５を用いて、子局として例示する警報局のシステム構成を説明する。図５は、実施形態の警報局のシステム構成の一例を示す図である。図５において、警報局３は、制御部３０、警報制御部３１、呼出制御部３２、試験部３３、通信制御部３４、回線切換部３５及び電源部３６の各機能を持つ。制御部３０は、警報局３の各機能を制御する。
【００６７】
警報制御部３１は、サイレン設備３１０１、放送設備３１０２、回転灯３１０３、表示設備３１０４の動作を制御する。警報制御部３１は、呼出制御部３２が監視局から取得した呼出信号に基づいて、サイレン設備３１０１、放送設備３１０２、回転灯３１０３、表示設備３１０４の動作を制御する。
【００６８】
サイレン設備３１０１は、サイレンを吹鳴してサイレン音を出力して危険を報知する設備である。サイレン設備３１０１は、擬似音（擬声音）を出力するものであってもよい。放送設備３１０２は、警報局３又は監視局等に設置されたマイク設備によって集音された操作者等の音声を出力して危険を報知する設備である。回転灯３１０３は、所定色のライトを回転表示させて視覚によって危険を報知する設備である。表示設備３１０４は、電光掲示等により文字や図形を表示して危険を報知する設備である。サイレン設備３１０１、放送設備３１０２、回転灯３１０３及び表示設備３１０４は、ダムの放流による水位上昇等の危険情報を報知する。以下、サイレン設備３１０１、放送設備３１０２、回転灯３１０３又は表示設備３１０４等の装置を「警報装置」という。
【００６９】
警報制御部３１は、警報装置が正常に動作しているかを監視する。例えば、警報制御部３１は、各警報装置の電源が正常であるか否かを監視する。また、警報制御部３１は、サイレン設備３１０１が出力したサイレン音をマイクで集音し、集音した音量に異常値が検出されたか否かを監視してもよい。また、警報制御部３１は、回転灯３１０３の動作をセンサで検出して動作が正常であるか否かを監視してもよい。警報制御部３１は、警報装置の動作が正常であるか否か、又は異常値が検出されたか否か等の警報装置の動作状態を示す動作状態データを生成する。動作状態データは、呼出制御部３２が取得した呼出信号において動作が指定された警報装置の動作状態を含む。例えば、呼出信号がサイレン設備３１０１からサイレン音を出力させるものである場合、警報制御部３１は、サイレン設備３１０１の動作状態を監視してサイレン設備３１０１の動作状態に基づき動作状態データを生成する。但し、動作状態データには、呼出信号によって動作が指定された警報装置以外の警報装置の動作状態が含まれていてもよい。例えば、呼出信号がサイレン設備３１０１の動作を指定するものである場合であっても、警報制御部３１は、放送設備３１０２、回転灯３１０３又は表示装置３１４の動作状態を動作状態データに含めてもよい。また、警報制御部３１は、呼出制御部３２が呼出信号を受信する前に検知した警報装置の異常を含む動作状態データを生成してもよい。すなわち、警報制御部３１は、生成する動作状態データの内容、動作状態データを生成時期を任意に変更するようにしてもよい。警報制御部３１は、生成した動作状態データを、呼出信号を受信した呼出制御部３２に送信する。また、警報制御部３１は、生成した動作状態データを、通信制御部３４を介して監視局に直接送信してもよい。
【００７０】
呼出制御部３２は、監視局１のデータ取得部１１３から送信される呼出信号を受信して、警報制御部３１に対して、動作させる警報装置を指定する。また、呼出制御部３２は、警報制御部３１が生成した動作状態データを取得して、通信制御部３４を介して監視局に送信する。呼出信号には上述したように、動作させる警報設備を指定する情報が含まれる。呼出制御部２２は、動作を指定された警報設備の動作状態を含む動作状態データを監視局に送信する。なお、動作状態データには、警報装置の動作状態以外に、例えば電源の異常、観測所のドアの開閉等の特殊情報を含んでいてもよい。
【００７１】
試験部３３は、図で説明した監視局１の試験信号制御部１１６から取得した試験信号取得要求に対して、警報装置の動作試験を実施する。動作試験は、警報制御部３１に対して警報装置を起動して試験動作させる。警報装置の試験動作は、呼出信号に基づく警報装置の動作と同様に、サイレン設備３１０１、放送設備３１０２、回転灯３１０３、表示設備３１０４を動作させる。しかし、試験動作は、呼出信号に基づく警報装置の動作より警報装置の動作時間を短縮したり、出力されるサイレン音や表示内容を変更したりするものであってもよい。試験部３３は、警報制御部が生成する動作状態データを取得して、監視局に送信する。
【００７２】
通信制御部３４は、監視局との通信を制御する。通信制御部３４は、回線切換部３５で使用する通信回線を切り換えて、無線装置３７、多重無線装置３８又は有線装置３９のいずれかの通信回線を用いて監視局と通信する。通信制御部３４はそれぞれの通信回線に応じた通信データ符号化及び複合化を行う。なお、使用する通信回線は、監視局が使用する通信回線と予め定めておく。
【００７３】
回線切換部３５は、通信制御部３４が使用する通信回線を切り換える。回線切換部３５は、無線装置３７、多重無線装置３８及び有線装置３９の通信装置との接続を切り換えることができる。無線装置３７、多重無線装置３８及び有線装置３９は、図３で説明した監視局１に接続される無線装置１５、多重無線装置１６及び有線装置１７とそれぞれの通信回線において通信する。
【００７４】
電源部３６は、警報局３で使用する電力を供給する。電源部３６は、商用電源からの電力又はバッテリからの電力を供給する。制御部３０は、電源部３６が供給する電力の低下等の電源の異常を監視して、電源に異常が発生した場合、通信制御部３４を介して電源の異常を監視局に通信するようにしてもよい。
【００７５】
制御部３０は、電源部３６からの電力供給状態に応じて警報局３の起動状態を変更するようにしてもよい。例えば、通常は監視局からの通信を受信できるだけの電力供給状態（省電力状態）にしておき、呼出信号又は試験信号取得要求を受信したときに、上述した、警報装置の動作、警報装置の動作状態の監視、動作状態データの生成、動作状態データの送信等の動作を行うことができる電力供給状態（起動状態）としてもよい。動作状態データの送信の送信等の動作が終了したときには、制御部３０は、再び省電力状態に戻すようにしてもよい。
【００７６】
次に、図６を用いて、中継局のシステム構成を説明する。図６は、実施形態の中継局のシステム構成の一例を示す図である。図６において、中継局４は、制御部４０、中継制御部４１、状態返送部４２、試験部４３及び電源部４４の各機能を持つ。制御部４０は、中継局４の各機能を制御する。
【００７７】
中継制御部４１は、監視局と子局との通信の中継を制御する。中継制御部４１は、無線受信機１号４１１、無線受信機２号４１２、無線送信機１号４１３、無線送信機２号４１４を制御する。中継制御部４１は、監視局から受信する通信データを中継局４に接続された子局に対して中継する。
【００７８】
無線受信機１号４１１及び無線受信機２号４１２は、通信データを受信する。中継制御部４１は、無線受信機１号４１１又は無線受信機２号４１２の少なくともいずれか一の受信機を動作させて、監視局又は子局から送信された通信データを受信する。無線受信機１号４１１及び無線受信機２号４１２が同一周波数帯を利用する無線装置である場合、中継制御部４１は、いずれか一方の無線装置を使用して他方の無線装置は予備として、一方の無線装置に不具合が発生した場合他方の無線装置からの通信に切り換える。また、無線受信機１号４１１及び無線受信機２号４１２が異なる周波数帯を利用する無線装置である場合、中継制御部４１は、いずれか一方の無線装置を使用して他方の無線装置は予備として使用する以外に、無線受信機１号４１１及び無線受信機２号４１２の両方を使用して無線通信を多重化するようにしてもよい。
【００７９】
また、無線送信機１号４１３及び無線送信機２号４１４は、通信データを送信する。中継制御部４１は、無線送信機１号４１３又は無線送信機２号４１４の少なくともいずれか一の送信機を動作させて、無線受信機１号４１１又は無線受信機２号４１２が受信した通信データを監視局又は子局に対して送信することにより、通信データを中継する。無線送信機１号４１３及び無線送信機２号４１４が同一周波数帯を利用する無線装置である場合、中継制御部４１は、いずれか一方の無線装置を使用して他方の無線装置は予備として、一方の無線装置に不具合が発生した場合他方の無線装置からの通信に切り換える。また、無線送信機１号４１３及び無線送信機２号４１４が異なる周波数帯を利用する無線装置である場合、中継制御部４１は、いずれか一方の無線装置を使用して他方の無線装置は予備として使用する以外に、無線送信機１号４１３及び無線送信機２号４１４の両方を使用して無線通信を多重化するようにしてもよい。
【００８０】
状態返送部４２は、図３で説明した監視局１の中継局制御部１１４からの動作状態の取得要求に対して、中継局４の動作状態データを返送する。中継局４の動作状態とは、例えば、電源部４４から供給される電力の電力供給状態である。制御部４０、バッテリの省電力のため、監視局と子局が通信するときにのみ中継動作を行う電力供給制御を行うことができる。制御部４０は、中継局制御部１１４から起動を指示する信号を受信して、中継動作が可能な電力供給状態（起動状態）にするとともに、中継局制御部１１４から停止を指示する信号を受信して、監視局からの通信データを受信をすることができる電力供給状態（省電力状態）にする、電力供給状態の制御を行う。状態返送部４２は、中継局制御部１１４から起動を指示する信号を受信したときに、起動状態になったことを示す動作状態を監視局に対して返送する。
【００８１】
試験部４３は、図３で説明した監視局１の試験信号制御部１１６から取得した試験信号取得要求に対して、中継局４の動作試験を実施する。動作試験は、電力供給状態を省電力状態から起動状態に切り換える動作が正常に行われるか否かを試験する。試験部４３は、電力供給状態を切り換えるとともに、動作状態を監視局に返送する。
【００８２】
電源部４４は、中継局４で使用する電力を供給する。電源部４４は、商用電源からの電力又はバッテリからの電力を供給する。制御部４０は、電源部４４が供給する電力の低下等の電源の異常を監視して、電源に異常が発生した場合、中継制御部４１を介して電源の異常を監視局に通信するようにしてもよい。
【００８３】
次に、図７を用いて監視システムのテスト動作を説明する。図７は、実施形態の監視システムのテスト動作の一例を示す図である。
【００８４】
図７において、監視システムは、管理端末１２、監視装置１１、中継局４及び子局５を持つ。
【００８５】
管理端末１２は、テスト信号出力要求指示部１２０１、状態表示部１２０２及びテスト結果表示部１２０４の各機能を持つ。例えば、テスト信号出力要求指示部１２０１、状態表示部１２０２及びテスト結果表示部１２０４の機能は、例えば、図３で説明した制御部１２０によって実現することができる。
【００８６】
監視装置１１は、中継局起動停止指令部１１０１、状態受信部１１０２、テスト信号出力要求取得部１１０３、テスト信号出力要求部１１０４、テスト信号判定部１１０５及び判定結果通知部１１０６の各機能を持つ。中継局起動停止指令部１１０１及び状態受信部１１０２は、例えば、図３で説明した中継局制御部１１４で実現することができる。テスト信号出力要求取得部１１０３、テスト信号出力要求部１１０４、テスト信号判定部１１０５及び判定結果通知部１１０６の機能は、例えば、図３で説明した試験信号制御部１１６で実現することができる。
【００８７】
中継局４は、起動停止指令受信部４００１、起動制御部４００２、状態返送部４００３の各機能を持つ。例えば、起動停止指令受信部４００１は、中継制御部４１の機能によって実現することができる。起動制御部４００２は制御部４０の機能によって実現することができる。状態返送部４００３の機能は、状態返送部４２の機能によって実現することができる。
【００８８】
子局５は、テスト信号要求受信部５０１及びテスト信号出力部５０２の各機能を持つ。テスト信号要求受信部５０１及びテスト信号出力部５０２の機能は、例えば、図４で説明した試験部２３又は図５で説明した試験部３３で実現することができる。
【００８９】
管理端末１２のテスト信号出力要求指示部１２０１は、テスト信号の出力要求の送信を指示するためのテスト信号出力要求指示を送信する。テスト信号出力要求指示には、テスト信号の出力を要求する子局５を指定する情報が含まれている。
【００９０】
中継局起動停止指令部１１０１は、中継局４の起動停止指令受信部４００１に対して中継局４を起動又は停止する指令である起動指令又は停止指令を送信する。テスト信号出力要求指示を受信した中継局起動停止指令部１１０１は、指定された子局が、中継局を介して監視局と通信する、中継局を介さずに監視局と通信するのかを判断する。子局が、中継局を介して監視局と通信する中継有りの子局であるか、中継局を介さずに監視局と通信する中継なしの子局であるかは、予め管理端末１２から監視装置１１に対して設定しておくことができる。子局が中継有りの子局であった場合、中継局起動停止指令部１１０１は、中継局４の起動停止指令受信部４００１に対して中継局４を起動する指令である起動指令を送信する。
【００９１】
起動指令又は停止指令を受信した起動停止指令受信部４００１は、受信した起動指令又は停止指令を起動制御部４００２に送信する。起動指令を受信した起動制御部４００２は、中継局４を起動（起動状態に）し、停止指令を受信した起動制御部４００２は、中継局４を停止（省電力状態に）する。起動制御部４００２は、状態返送部４００３に対して、中継局４が起動中か停止中か等を示す動作状態の返送を指示する。状態返送部４００３は、監視局１の状態受信部１１０２に対して動作状態を返送する。
【００９２】
状態受信部１１０２は返送された動作状態を、中継局起動停止指令部１１０１に通知するとともに、管理端末１２の状態表示部１２０２に通知する。なお、中継局起動停止指令部１１０１は、中継局４が既に起動状態である場合には中継局４に対して起動指令を送信しない。また、中継局起動停止指令部１１０１は、中継局起動停止指令部１１０１から受信したテスト信号出力要求指示で指定された子局からのテスト信号の受信が完了したときには、中継局４の起動停止指令受信部４００１に対して中継局４を停止する指令である起動指令を送信する。
【００９３】
状態表示部１２０２は通知された中継局４の動作状態を図３で説明した表示部１２３等に表示する。
【００９４】
一方、子局が中継なしの子局であった場合、又は子局が中継有りの子局であって中継局が起動状態となった場合、中継局起動停止指令部１１０１は、監視装置１１のテスト信号出力要求取得部１１０３に対して、テスト信号の出力要求の送信を指示するためのテスト信号出力要求指示を送信する。
【００９５】
テスト信号出力要求指示を受信したテスト信号出力要求取得部１１０３は、テスト信号出力要求部１１０４に対してテスト信号の出力要求の送信を指示する。テスト信号の出力要求の送信を指示されたテスト信号出力要求部１１０４は、子局５のテスト信号要求受信部５０１に対して、テスト信号出力要求を送信する。なお、監視装置１１と子局５が中継局４を中継して通信を行う場合、テスト信号出力要求の送信は中継局４を介して行われる。
【００９６】
テスト信号出力要求を受信したテスト信号要求受信部５０１は、テスト信号出力部５０２に対して、テスト信号出力要求に対応したテスト信号を送信するテスト信号送信指示を送信する。テスト信号送信指示を受信したテスト信号出力部５０２は、テスト信号出力要求に対応したテスト信号を監視装置１１のテスト信号判定部１１０５に送信する。なお、監視装置１１と子局５が中継局４を中継して通信を行う場合、テスト信号の送信は中継局４を介して行われる。
【００９７】
テスト信号を受信したテスト信号判定部１１０５は、テスト信号に基づき子局５との通信状態を判定し、判定結果を判定結果通知部１１０６に送信する。判定結果を受信した判定結果通知部１１０６は、判定結果を管理端末１２のテスト結果表示部１２０４に通知する。
【００９８】
判定結果が通知されたテスト結果表示部１２０４は、通知された判定結果を図３で説明した表示部１２３等に表示する。
【００９９】
次に、図８を用いて、図１で説明した監視局、中継局及び観測局からなる第１の監視システムにおける、第１の動作について説明する。図８は、実施形態の第１の監視システムの第１の動作の一例を示すシーケンス図である。ここで第１の監視システムにおける第1の動作とは、監視局が観測局から観測データをＣＨ毎に収集する動作をいう。
【０１００】
図８において、第１の監視システムは、図１で説明した通り、監視局１ａ、観測局２１１、観測局２１２、中継局４０２、観測局２２１及び観測局２２２を持つ。
【０１０１】
図８（ａ）〜（ｄ）は、監視局１ａがＣＨ１の観測局２１１及び観測局２１２から観測データを収集する動作である。ＣＨ１の観測局２１１及び観測局２１２は、中継局を介さずに監視局１ａと直接通信する。
【０１０２】
監視局１ａは、観測局２１１に対して呼出信号を送信するとともに（ａ）、観測局２１２に対して呼出信号を送信する（ｂ）。第１の動作においては、観測データの収集をＣＨ毎に行うため、呼出信号の送信をＣＨ毎に行う。呼出信号に対して、観測局２１１は観測データを返送する（ｃ）。観測データの返送は、図４で説明した呼出制御部２２によって行うことができる。同様に、観測局２１２も観測データを返送する（ｄ）。
【０１０３】
図８（ｅ）〜（ｌ）は、監視局１ａがＣＨ２の観測局２２１及び観測局２２２から観測データを収集する動作である。ＣＨ２の観測局２１１及び観測局２１２は、中継局４０２を介して監視局１ａと通信する。
【０１０４】
監視局１ａは、中継局４０２に対して起動指令を送信する（ｅ）。図７で説明した通り、中継局４０２の起動停止指令受信部４００１は起動指令を受信すると起動指令を起動制御部４００２に送信し、起動指令を受信した起動制御部４００２は、中継局４０２を起動（起動状態に）して通信を中継可能な状態にする。起動制御部４００２は、状態返送部４００３に対して、中継局４０２が起動中であることを示す動作状態の返送を指示し、状態返送部４００３は、監視局１ａの状態受信部１１０２に対して動作状態を返送する（ｆ）。
【０１０５】
監視局１ａは、観測局２２１に対して中継局４０２を介して呼出信号を送信するとともに（ｇ）、観測局２２２に対して中継局４０２を介して呼出信号を送信する（ｈ）。呼出信号に対して、観測局２２１は観測データを返送する（ｉ）。呼出信号に対して、観測局２２２は観測データを返送する（ｊ）。
【０１０６】
監視局１ａは、ＣＨ１の観測局２１１及び観測局２１２、並びにＣＨ２の観測局２２１及び観測局２２２からの観測データの収集が終了すると、中継局４０２に対して停止指令を送信する（ｋ）。停止指令を受信した起動制御部４００２は、中継局４を停止（省電力状態に）する。起動制御部４００２は、状態返送部４００３に対して、中継局４が停止中であることを示す動作状態の返送を指示する。状態返送部４００３は、監視装置１１の状態受信部１１０２に対して動作状態を返送する（ｌ）。
【０１０７】
監視局１ａが観測局から観測データをＣＨ毎に収集することにより、中継局を介して通信を行う観測局からの観測データの収集を短時間で完了することができるため、中継局を起動する時間を短くすることができる。
【０１０８】
次に、図９を用いて、監視局、中継局及び観測局からなる第１の監視システムにおける、第２の動作について説明する。図９は、実施形態の第１の監視システムの第２の動作の一例を示すシーケンス図である。ここで第１の監視システムにおける第２の動作とは、監視局が観測局との通信テストをＣＨ毎に実行する動作をいう。
【０１０９】
図９における第１の監視システムは、図８で説明した第１の監視システムと同一であり、監視局１ａ、観測局２１１、観測局２１２、中継局４０２、観測局２２１及び観測局２２２を持つ。
【０１１０】
図９（ａ）〜（ｄ）は、監視局１ａがＣＨ１の観測局２１１及び観測局２１２との通信テストを実行するときの動作である。ＣＨ１の観測局２１１及び観測局２１２は、中継局を介さずに監視局１ａと直接通信する。
【０１１１】
第２の動作においては、通信テストを観測局毎に行うため、テスト信号出力要求の送信を観測局毎に行う。監視局１ａは、観測局２１１に対してテスト信号出力要求を送信する（ａ）。テスト信号出力要求に対して、観測局２１１はテスト信号を返送する（ｂ）。観測局２１１の通信テストを完了すると、監視局１ａは、観測局２１２に対してテスト信号出力要求を送信する（ｃ）。テスト信号出力要求に対して、観測局２１２はテスト信号を返送する（ｄ）。なお、テスト信号の返送は、図７で説明した通り、テスト信号出力要求を受信したテスト信号要求受信部５０１が、テスト信号出力部５０２に対して、テスト信号出力要求に対応したテスト信号を送信するテスト信号送信指示を送信し、テスト信号送信指示を受信したテスト信号出力部５０２が、テスト信号出力要求に対応したテスト信号を監視局１ａに送信することにより実行される。なお、本実施形態では、通信テストを観測局毎に実施する場合を説明したが、通信テストはＣＨ毎に実施してもよい。例えば、監視局１ａは、ＣＨ１の観測局２１１及び観測局２１２の通信テストを自動的に順次行うようにしてもよい。
【０１１２】
図９（ｅ）〜（ｌ）は、監視局１ａがＣＨ２の観測局２２１及び観測局２２２との通信テストを実行するときの動作である。ＣＨ２の観測局２１１及び観測局２１２は、中継局４０２を介して監視局１ａと通信する。
【０１１３】
監視局１ａは、テスト信号出力要求を送信する観測局２２１が中継局４０２を介して監視局１ａと通信する場合、中継局４０２に対して起動指令を送信する（ｅ）。図８と同様に、中継局４０２の起動制御部４００２は中継局４０２を起動（起動状態に）して通信を中継可能な状態にして、状態返送部４００３は、中継局４０２が起動中であることを示す動作状態を監視局１ａに返送する（ｆ）。
【０１１４】
監視局１ａは、観測局２２１に対して中継局４０２を介してテスト信号出力要求を送信する（ｇ）。テスト信号出力要求に対して、観測局２２１はテスト信号を返送する（ｈ）。続いて、監視局１ａは、観測局２２２に対して中継局４０２を介してテスト信号出力要求を送信する（ｉ）。テスト信号出力要求に対して、観測局２２２はテスト信号を返送する（ｊ）。
【０１１５】
監視局１ａは、ＣＨ１の観測局２１１及び観測局２１２、並びにＣＨ２の観測局２２１及び観測局２２２との通信テストが終了すると、中継局４０２に対して停止指令を送信する（ｋ）。停止指令を受信した起動制御部４００２は、中継局４０２を停止（省電力状態に）する。状態返送部４００３は、中継局４０２が停止中であることを示す動作状態を監視装置１に返送する（ｌ）。
【０１１６】
監視局１ａが観測局との通信テストをＣＨ毎に実行することにより、中継局を介して通信を行う観測局との通信テストを短時間で完了することができるため、中継局を起動する時間を短くすることができる。
【０１１７】
なお、本実施形態では、中継局４０２の停止は、ＣＨ２の観測局２２１及び観測局２２２との通信テストが終了してから行う場合を説明したが、中継局の起動・停止は、各観測局の通信テスト毎に行ってもよい。すなわち、（ｈ）において観測局２２１がテスト信号を返送したときに、（ｋ）〜（ｌ）で説明した中継局４０２を停止させる処理を実行し、観測局２２２の通信テストを開始するときに（ｅ）〜（ｆ）で説明した中継局４０２を起動させる処理を再度実行するようにしてもよい。
【０１１８】
次に、図１０を用いて、図２で説明した監視局、中継局及び警報局からなる第２の監視システムにおける、第１の動作について説明する。図１０は、実施形態の第２の監視システムの第１の動作の一例を示すシーケンス図である。ここで第２の監視システムにおける第１の動作とは、監視局が警報局からの警報出力を実行する動作をいう。
【０１１９】
図１０において、第２の監視システムは、図２で説明した通り、監視局１ｂ、警報局３１１、中継局４０５、警報局３１２及び警報局３１３を持つ。
【０１２０】
図１０（ａ）〜（ｂ）は、監視局１ｂが警報局３１１からの警報出力を実行する動作である。警報局３１１は、中継局を介さずに監視局１ｂと直接通信する。
【０１２１】
監視局１ｂは、警報局３１１に対して呼出信号を送信する（ａ）。呼出信号に対して、警報局３１１は警報装置を動作させて警報を出力する。警報の出力は、図５で説明した呼出制御部３２が警報制御部３１に対して警報出力を指示することによって行うことができる。
【０１２２】
図１０（ｃ）〜（ｊ）は、監視局１ｂが警報局３１２及び警報局３１３からの警報出力を実行する動作である。警報局３１２及び警報局３１３は、中継局４０５を介して監視局１と通信する。
【０１２３】
監視局１は、中継局４０５に対して起動指令を送信する（ｃ）。中継局４０５において、起動指令を受信した起動制御部４００２は、中継局４０５を起動（起動状態に）して通信を中継可能な状態にする。状態返送部４００３は、中継局４０５が起動中であることを示す動作状態を監視装置１に対して返送する（ｄ）。
【０１２４】
監視局１ｂは、警報局３１２に対して中継局４０５を介して呼出信号を送信するとともに（ｅ）、警報局３１３に対して中継局４０５を介して呼出信号を送信する（ｇ）。呼出信号に対して、警報局３１２は警報装置を動作させて警報を出力し、警報装置の動作状態を監視局１ｂに返送する（ｆ）。同様に、呼出信号に対して、警報局３１３は警報装置を動作させて警報を出力し、警報装置の動作状態を監視局１ｂに返送する（ｈ）。
【０１２５】
監視局１ｂは、警報局３１２及び警報局３１３から動作状態の返信を受信すると、中継局４０５に対して停止指令を送信する（ｉ）。停止指令を受信した中継局４０５の起動制御部４００２は、中継局４０５を停止（省電力状態に）する。中継局４０５の状態返送部４００３は、中継局４０５が停止したことを示す動作状態を監視局１ｂに対して返送する（ｌ）。
【０１２６】
次に、図１１を用いて、監視局、中継局及び警報局からなる第２の監視システムにおける、第２の動作について説明する。図１１は、実施形態の第２の監視システムの第２の動作の一例を示すシーケンス図である。ここで第２の監視システムにおける第２の動作とは、監視局が警報局との通信テストを実行する動作をいう。
【０１２７】
図１１において、第２の監視システムは、監視局１ｂ、警報局３１１、中継局４０５、警報局３１２及び警報局３１３を持つ。
【０１２８】
図１１（ａ）〜（ｂ）は、監視局１ｂが警報局３１１との通信テストを実行する動作である。警報局３１１は、中継局を介さずに監視局１ｂと直接通信する。
【０１２９】
監視局１ｂは、警報局３１１に対してテスト信号出力要求を送信する（ａ）。テスト信号出力要求に対して、警報局３１１はテスト信号を返送する（ｂ）。テスト信号の返送は、図７で説明した通り、テスト信号出力要求を受信した警報局３１１のテスト信号要求受信部５０１が、テスト信号出力部５０２に対して、テスト信号出力要求に対応したテスト信号を送信するテスト信号送信指示を送信し、テスト信号送信指示を受信したテスト信号出力部５０２が、テスト信号出力要求に対応したテスト信号を監視局１ｂに送信することにより実行される。
【０１３０】
図１１（ｃ）〜（ｊ）は、監視局１ｂが警報局３１２及び警報局３１３からの警報出力を実行する動作である。警報局３１２及び警報局３１３は、中継局４０５を介して監視局１と通信する。
【０１３１】
監視局１は、中継局４０５に対して起動指令を送信する（ｃ）。中継局４０５において、起動指令を受信した起動制御部４００２は、中継局４０５を起動（起動状態に）して通信を中継可能な状態にする。状態返送部４００３は、中継局４０５が起動中であることを示す動作状態を監視装置１に対して返送する（ｄ）。
【０１３２】
監視局１ｂは、警報局３１２に対して中継局４０５を介してテスト信号出力要求を送信するとともに（ｅ）、警報局３１３に対して中継局４０５を介してテスト信号出力要求を送信する（ｇ）。テスト信号出力要求に対して、警報局３１２は監視局１ｂに対して中継局４０５を介してテスト信号を返送する（ｆ）。同様に、テスト信号出力要求に対して、警報局３１３は監視局１ｂに対して中継局４０５を介してテスト信号を返送する（ｈ）。
【０１３３】
監視局１ｂは、警報局３１２及び警報局３１３からテスト信号の返信を受信すると、中継局４０５に対して停止指令を送信する（ｉ）。停止指令を受信した中継局４０５の起動制御部４００２は、中継局４０５を停止（省電力状態に）する。中継局４０５の状態返送部４００３は、中継局４０５が停止したことを示す動作状態を監視局１ｂに対して返送する（ｌ）。
【０１３４】
次に、図１２、図１３及び図１４を用いて、監視装置と子機との通信テストを実行するための監視システムの試験方法を説明する。図１２、図１３及び図１４は、実施形態の監視システムの試験方法の一例を示す図である。
【０１３５】
図１２において、制御画面１０００は、図３で説明した子局選択制御部１２１及び試験信号選択制御部１２２が管理端末１２の表示部１２３に表示する表示画面である。制御画面１０００は、テレメータ制御１００１、警報局制御１００２、中継局制御１００３、通信モニタ１００４及び５４号ソフト１００６の選択ボタンを持つ。なお、図１２において説明する選択ボタンは、例えば、マウスによって制御画面１０００に表示されたカーソルを選択ボタンの上に移動してクリックをすることにより選択操作が可能なユーザーインターフェイスである。
【０１３６】
テレメータ制御１００１、警報局制御１００２、中継局制御１００３、通信モニタ１００４及び５４号ソフト１００６は、いずれか一の選択ボタンを選択することにより、制御画面１０００の表示内容を変更する。図１２における制御画面１０００は、テレメータ制御１００１の選択ボタンが選択されていることを示している。テレメータ制御１００１は、観測局を制御するための制御画面１０００に切り換える選択ボタンである。警報局制御１００２は、警報局を制御するための制御画面１０００に切り換える選択ボタンである。中継局制御１００３は、中継局を制御するための制御画面１０００に切り換える選択ボタンである。通信モニタ１００４は、子局との通信状況をモニタするための制御画面１０００に切り換える選択ボタンである。また、５４号ソフト１００６は、テレメータが国電通仕第５４号に基づくテレメータ装置である場合の制御画面１０００に切り換える選択ボタンである。以下は、テレメータが国電通仕第２１号に基づくテレメータ装置である場合の制御画面１０００である。
【０１３７】
時刻表示部１０１１は、現在の時刻の表示である。呼出間隔１０１２は、観測局から観測データを取得する時間間隔を表示する選択ボタンである。呼出間隔１０１２の選択ボタンを選択することにより観測データを取得する時間間隔を変更する表示画面を表示できるようにしてもよい。
【０１３８】
テレメータ１０２１、警報局１０２２及び中継局１０２３は、テレメータ制御１００１、警報局制御１００２及び中継局制御１００３のいずれか一の選択ボタンを選択したときに選択されるタブ表示である。テレメータ１０２１、警報局１０２２及び中継局１０２３は選択ボタンとして直接選択できるようにしてもよい。図１２は、テレメータ１０２１が選択されていることを示している。
【０１３９】
手動禁止１０７１、送信中１０７２、測定中１０７３及びロック中１０７４は、監視装置１１の状態を示す表示である。手動禁止１０７１は、監視局からの子局又は中継局の手動操作が禁止された状態であることを示している。送信中１０７２は、監視局から子局又は中継局に対して信号を送信中であることを示している。送信中の信号とは、例えば、図８等で説明した呼出信号、起動指令、停止司令、又は図９で説明したテスト信号出力要求等である。測定中とは、観測局から観測データを取得中であることを示している。ロック中は、監視局の操作卓や操作盤からの操作がロックされていることを示している。
【０１４０】
観測局設定部１０３０、観測局設定部１０４０及び観測局設定部１０５０は、制御対象の観測局を選択するための表示画面である。観測局設定部１０３０は、ＣＨ１の観測局を選択するための選択ボタンを表示している。観測局設定部１０３０は、ＣＨ１の観測局である、観測局１−１〜観測局１−８を選択するための観測局選択ボタン１０３１〜観測局選択ボタン１０３８を持つ。観測局選択ボタン１０３９は、ＣＨ１の全観測局を選択するための選択ボタンである。
【０１４１】
観測局設定部１０４０は、ＣＨ２の観測局を選択するための選択ボタンを表示している。観測局設定部１０４０は、ＣＨ２の観測局である、観測局２−１〜観測局２−４を選択するための観測局選択ボタン１０４１〜観測局選択ボタン１０４４を持つ。観測局選択ボタン１０４９は、ＣＨ２の全観測局を選択するための選択ボタンである。
【０１４２】
観測局設定部１０５０は、ＣＨ３の観測局を選択するための選択ボタンを表示している。観測局設定部１０５０は、ＣＨ３の観測局である、観測局３−１〜観測局３−７を選択するための観測局選択ボタン１０５１〜観測局選択ボタン１０５７を持つ。観測局選択ボタン１０５９は、ＣＨ３の全観測局を選択するための選択ボタンである。
【０１４３】
制御画面１０００に表示する観測局の数、又はＣＨの数は任意である。ＣＨ４以降のＣＨに対応する観測局設定部は、観測局設定部１０３０、観測局設定部１０４０及び観測局設定部１０５０の右側に表示されるスクロールバーの操作によって表示される。
【０１４４】
中継局状態１０６０は、中継局の動作状態を表示する。中継局状態１０６０は、それぞれの中継局の動作状態を示す、状態表示１０６１〜状態表示１０６３を持つ。状態表示１０６１は、ＣＨ２の中継局が起動中でることを示している。状態表示１０６２は、ＣＨ３の中継局が停止中でることを示している。状態表示１０６３は、ＣＨ３の中継局が停止中でることを示している。
【０１４５】
通信テスト１０７９は、選択された観測局との通信テストを実行するためのダイアログを表示する選択ボタンである。図１２に示した制御画面１０００の表示状態において、観測局１−１を選択するための観測局選択ボタン１０３１が選択され、さらに通信テスト１０７９が選択されると、制御画面１０００の表示状態は図１３に遷移する。
【０１４６】
図１３において、図１２で説明した制御画面１０００に、観測局選択ボタン１０３１が選択されたときに表示されるテスト信号選択１０８０のダイアログが重畳されて表示される。
【０１４７】
テスト信号選択１０８０は、観測局１−１との通信テストにおいて使用する試験信号を選択するための表示である。テスト信号選択１０８０は、Ｓ／Ｎ制御選択ボタン１０８１、Ｎ制御選択ボタン１０８２、１ＫＨｚ選択ボタン１０８３、マーク選択ボタン１０８４及びスペース選択ボタン１０８５を持つ。Ｓ／Ｎ制御選択ボタン１０８１は、試験信号にＳ／Ｎ制御信号を選択するための選択ボタンである。Ｎ制御選択ボタン１０８２は、試験信号にＮ制御信号を選択するための選択ボタンである。１ＫＨｚ選択ボタン１０８３は、試験信号に１ＫＨｚ信号を選択するための選択ボタンである。マーク選択ボタン１０８４は、試験信号にマーク信号を選択するための選択ボタンである。また、スペース選択ボタン１０８５は、試験信号にスペース信号を選択するための選択ボタンである。図１３は、観測局１−１に対して試験信号として／Ｎ制御信号が選択されたことを示している。通信テストは、Ｓ／Ｎ制御選択ボタン１０８１、Ｎ制御選択ボタン１０８２、１ＫＨｚ選択ボタン１０８３、マーク選択ボタン１０８４又はスペース選択ボタン１０８５のいずれかの選択ボタンを選択して、実行ボタン１０８６を選択することにより実行される。図１３は、実行ボタン１０８６が選択されたことを示している。
【０１４８】
なお、図１３は、Ｓ／Ｎ制御選択ボタン１０８１のみが選択された場合を説明したが、試験信号の選択は複数を選択するものであってもよい。例えば、Ｓ／Ｎ制御信号による通信テストとマーク信号による通信テストを行う場合、Ｓ／Ｎ制御選択ボタン１０８１とマーク選択ボタン１０８４を選択することにより、Ｓ／Ｎ制御信号とマーク信号を用いた通信テストを連続して実行するようにしてもよい。
【０１４９】
実行ボタン１０８６が選択されると、図７で説明したテスト信号出力要求指示部１２０３から監視装置１１に対して、選択された子局（観測局）と選択されたテスト信号を示すテスト信号出力要求が送信されて通信テストが開始される。
【０１５０】
キャンセルボタン１０８７が選択されると、通信テストがキャンセルされる。実行ボタン１０８６が選択された状態でキャンセルボタン１０８７が選択されると、図１３における実行ボタン１０８６が選択される前の状態にテスト信号選択１０８０の表示が戻る。また、いずれかの試験信号が選択された状態でキャンセルボタン１０８７が選択されると、図１３における試験信号が選択される前の状態にテスト信号選択１０８０の表示が戻る。また、試験信号が選択されていない状態でキャンセルボタン１０８７が選択されると、図１２に表示が戻る。
【０１５１】
なお、図１３は観測局１−１が選択されたときのテスト信号選択１０８０が表示される場合を説明したが、他の観測局選択ボタンが選択されたときには、選択された観測局に対応した図示しないテスト信号選択が表示される。すなわち、本実施形態においては、図１２の選択局の選択において選択された観測局に対して通信テストを実行する。例えば、図１２の選択局の選択において全局選択の選択ボタン等によって複数の観測局が選択された場合、図１３で説明したテスト信号の選択は、選択された観測局との通信テストにおいて使用される。
【０１５２】
図１４は、実行ボタン１０８６が選択された後に遷移する表示画面であり、選択された観測局１−１とＳ／Ｎ制御信号において通信テスト中であることを示すステータス画面１０９０のダイアログが制御画面１０００において重畳表示されていることを示す。なお、ステータス画面１０９０は、例えば、テストの終了、テスト結果、テストの失敗等のステータスを表示してもよい。
【０１５３】
なお、図１２〜図１４においては、観測局との通信テストを行う場合の試験方法について説明したが、警報局との通信テストを行う場合には、観測局の選択と同様に警報局を選択することができる。すなわち、警報局を選択するための選択ボタンを選択可能に表示して、選択された警報局に対する試験信号を選択することで警報局との通信テストを行うようにすることができる。また、中継局を選択するための選択ボタンを選択可能に表示して、選択された中継局に対する試験信号を選択することで中継局との通信テストを行うようにすることができる。
【０１５４】
また、制御画面１０００には、通信テストの試験結果を帳票出力する帳票出力選択ボタンを設けてもよい。帳票の出力は、所定の報告フォーマットにおいて出力されて、表示部１２３又は図示しないプリンタから印字できるようにしてもよい。
【０１５５】
上記に説明した実施形態において、監視局は、子局に対して子局が生成したデータの取得を要求し、要求したデータを子局から取得するデータ取得部と、試験対象の子局を選択可能に表示装置に表示する子局選択表示制御部と、子局との通信を試験するための試験信号を選択可能に表示装置に表示する試験信号選択表示制御部と、選択された子局に対して選択された試験信号の取得要求を送信し、子局から取得要求に応じた試験信号を取得する試験信号制御部とを持つ場合を説明したが、実施形態は上記に限定されない。
【０１５６】
例えば、本実施形態では、試験信号制御部は、選択された子局に対して選択された試験信号の取得要求を送信し、子局から取得要求に応じた試験信号を取得するが、試験信号の取得要求とは、選択されて監視局から送信された試験信号に対するテスト結果を取得要求するものであって、子局から取得要求に応じた試験信号を取得するとは、テスト結果の取得要求に応じた試験信号を取得するものであってもよい。例えば、試験信号が１ＫＨｚ信号であった場合、監視局から子局に対して１ＫＨｚ信号の試験信号を送信し、子局から１ＫＨｚ信号おける通信の試験結果に応じた試験信号を取得するものであってもよい。子局が送信する試験信号の取得要求に応じた試験信号には、監視局から送信された試験信号をそのまま試験信号として送信するものであっても、他の試験信号を送信するものであってもよい。例えば、１ＫＨｚ信号を受信した子局からが１ＫＨｚ信号をそのまま返送することにより、監視局は１ＫＨｚ試験信号における子局との通信が正常に行われていると判断することができる。
【０１５７】
また、試験対象の子局を選択は、制御画面１０００から操作者がマウス等の操作によって選択する場合を例示したが、試験対象の子局の選択はこれに限定されるものではない。例えば、試験対象の子局は監視局が通信する全ての子局を選択（全局選択）するものであってもよい。試験対象の選択は、表示部１２３に選択可能に表示されず、予め定められた子局が選択されるものであってもよい。
【０１５８】
また、上記に説明した実施形態において、監視局の試験信号選択表示部は、子局との通信における通信ノイズを測定して通信を試験するための試験信号、又は所定周波数における前記子局との通信における通信状況を確認して通信を試験するための試験信号を選択可能に表示する場合を説明したが、実施形態は上記に限定されない。
【０１５９】
例えば、通信ノイズを測定して通信を試験するための試験信号は、Ｓ／Ｎ制御信号又はＮ制御信号以外の試験信号であってもよい。また、所定周波数における前記子局との通信における通信状況を確認して通信を試験するための試験信号は、１ＫＨｚ信号、マーク信号又はスペース信号以外の試験信号であってもよい。
【０１６０】
また、上記に説明した実施形態において、子局はセンサで測定した測定データに基づいて観測データを生成する観測局が国電通仕第２１号に基づくテレメータ装置テレメータである場合を説明したが、観測局はテレメータ以外の装置であってもよい。
また、観測データの生成は、観測局において生成される場合を説明したが、観測局はセンサを含み、観測データはセンサにおいて生成されるものであってもよい。
【０１６１】
また、上記に説明した実施形態において、子局は警報を出力する警報装置の動作状態を示す動作状態データを生成する警報局である場合を説明したが、警報装置の動作状態は警報局において警報装置を動作させることができるか否かを示すものであってもよい。例えば、警報装置の電源が警報局から供給される場合の警報局の電源状態等、警報局の動作に影響する警報局の異常等を警報装置の動作状態として動作状態データを生成するものであってもよい。
【０１６２】
また、上記に説明した実施形態において、子局との通信を中継する中継局を、取得要求を送信する前に起動制御するとともに、試験信号を取得した後に停止制御する場合を説明したが、取得要求を送信する前と試験信号を取得した後のタイミングは、タイマ等で計測された時刻で判断するようにしてもよい。例えば、通信試験を開始する時刻及び終了する時刻が予め定められている場合、中継局の起動・停止は、通信試験を開始する時刻及び終了する時刻に基づき予め定めるものであってもよい。
【０１６３】
以上説明した少なくともひとつの実施形態によれば、実施形態の監視システムは、監視局と複数の子局を持ち、監視局は、データ取得部と、子局選択表示制御部と、試験信号選択表示制御部と、試験信号制御部とを持ち、さらに、子局は、送信部を持つことにより、子局との通信テストを容易にすることができる。
【０１６４】
なお、上述した装置は、コンピュータで実現するようにしてもよい。その場合、各機能ブロックの機能を実現するためのプログラムをコンピュータ読み取り可能な記録媒体に記録する。この記録媒体に記録されたプログラムをコンピュータシステムに読み込ませ、ＣＰＵ（Central Processing Unit）が実行することで実現してもよい。ここでいう「コンピュータシステム」とは、ＯＳ（Operating System）や周辺機器等のハードウェアを含むものとする。また、「コンピュータ読み取り可能な記録媒体」とは、フレキシブルディスク、光磁気ディスク、ＲＯＭ（Read Only Memory）、ＣＤ−ＲＯＭ等の可搬媒体のことをいう。また、「コンピュータ読み取り可能な記録媒体」は、コンピュータシステムに内蔵されるハードディスク等の記憶装置を含む。さらに「コンピュータ読み取り可能な記録媒体」とは、短時間の間、動的にプログラムを保持するものを含んでいてもよい。短時間の間、動的にプログラムを保持するものは、例えば、インターネット等のネットワークや電話回線等の通信回線を介してプログラムを送信する場合の通信線である。また、「コンピュータ読み取り可能な記録媒体」には、サーバやクライアントとなるコンピュータシステム内部の揮発性メモリのように、一定時間プログラムを保持しているものも含んでもよい。また上記プログラムは、前述した機能の一部を実現するためのものであってもよい。また、上記プログラムは、前述した機能をコンピュータシステムにすでに記録されているプログラムとの組み合わせで実現できるものであってもよい。また、上記プログラムは、プログラマブルロジックデバイスを用いて実現されるものであってもよい。プログラマブルロジックデバイスは、例えば、ＦＰＧＡ（Field Programmable Gate Array）である。
また、図を用いて説明した装置の各機能部は、ソフトウェア機能部であるものとしたが、機能の一部又は全部は、ＬＳＩ等のハードウェア機能部であってもよい。
【０１６５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１６６】
１…監視局、１１…監視装置、１１０…制御部、１１１…回線切換部、１１２…通信制御部、１１３…データ取得部、１１４…中継局制御部、１１５…時刻制御部、１１６…試験信号制御部、１１７、１１８…操作制御部、１１９…外部Ｉ／Ｆ、１２…管理端末、１２０…制御部、１２１…子局選択制御部、１２２…試験信号選択制御部、１２３…表示部、１２４…操作・入力部、１３…操作卓、１４…操作盤、１５、２７、３７…無線装置、１６、２８、３８…多重無線装置、１７、２９、３９…有線装置、２…観測局、２０…制御部、２１…センサ通信部、２２…呼出制御部、２３…試験部、２４…通信制御部、２５…回線切換部、２６…電源部、２１０１…水位計、２１０２…雨量計、２１０３…積雪量計、３…警報局、３０…制御部、３１…警報制御部、３２…呼出制御部、３３…試験部、３４…通信制御部、３５…回線切換部、３６…電源部、３１０１…サイレン設備、３１０２…放送設備、３１０３…回転灯、３１０４…表示設備、４…中継局、４０…制御部、４１…中継制御部、４２…状態返送部、４３…試験部、４４…電源部、４１１…無線受信機１号、４１２…無線受信機２号、４１３…無線送信機１号、４１４…無線送信機２号
【図１】
2017091064.tif 000003
【図２】
2017091064.tif 000004
【図３】
2017091064.tif 000005
【図４】
2017091064.tif 000006
【図５】
2017091064.tif 000007
【図６】
2017091064.tif 000008
【図７】
2017091064.tif 000009
【図８】
2017091064.tif 000010
【図９】
2017091064.tif 000011
【図１０】
2017091064.tif 000012
【図１１】
2017091064.tif 000013
【図１２】
2017091064.tif 000014
【図１３】
2017091064.tif 000015
【図１４】
2017091064.tif 000016